(57)【要約】【課題】ボトルから容器に液体を注ぐ際に、ボトル内の液体が脈打つような強弱を繰り返しながら注がれる脈動が生じるため、液体の飛び跳ねや飛散が生じる。【解決手段】脈動防止具は、ボトルの注出口の内部に設けられる脈動防止具であって、断面形状が台形に形成され、ボトルからの液体が流入する流入口より、液体を流出する流出口の面積が狭いパイプと、パイプの周囲と注出口の内壁との間に配置され、外部からボトル内部に捧通された複数のスリットを有する空気細分化部とを備える。空気細分化部は、パイプの取り付け位置に応じて、スリットの長さを調整可能となるように構成される。【選択図】図１
2020083423.tif 000002
【特許請求の範囲】
【請求項１】
ボトルの注出口の内部に設けられる脈動防止具であって、
断面形状が台形に形成され、ボトルからの液体が流入する流入口より、液体を流出する流出口の面積が狭いパイプと、
パイプの周囲と注出口の内壁との間に配置され、外部からボトル内部に捧通された複数のスリットを有する空気細分化部と、を備え、
空気細分化部は、パイプの取り付け位置に応じて、スリットの長さを調整可能である脈動防止具。
【請求項２】
パイプの外周に設けられ、脈動防止具を注出口の内部に固定させる固定板を、さらに備え、
固定板は、パイプの延伸方向に延伸している共に、弾性変形可能に形成され、
脈動防止具を注出口の内部に捧入した場合に、パイプの外周面と、注出口の内周面とに挟まれ弾性変形した状態となる請求項1に記載の脈動防止具。
【発明の詳細な説明】
【技術分野】
【０００１】
本発明は、脈動防止具に係り、さらに詳しくは、ボトルから液体を注ぐ際におこる脈動を防止する脈動防止具に関する。              
【背景技術】
【０００２】
近年は大容量（例えば2リットル）のペットボトルの使用が多くなってきており、大容量の注ぎ口より流れ出る液体が不規則にドボ、ドボと脈打って流れ出るため、飛散して容器に正常に注ぎ込むことが出来ず、容器外にこぼしてしまうことが多い。
【０００３】
このペットボトルの内部液体の注出時における脈動防止策として、いくつかの提案がなされている。例えば、下記の特許文献１には、ペットボトルの注ぎ口の内壁に密着させて、注ぎ口内壁の全面を円周方向に覆うように細いパイプを張り付けた脈動防止具付きペットボトルが提案されている。
【０００４】
また、特許文献２には、ペットボトルの注ぎ口の内径一杯に細いパイプを詰め込んで、飲料水等の流出と空気の流入のバランスをとって脈動を押さえるように構成されたペットボトルの注ぎ口に装着してなる注ぎ水の脈動防止具が提案されている。
【先行技術文献】
【特許文献】
【０００５】
【特許文献１】特開２０１０-０８３５３０号公報
【特許文献３】特開２０１３-０４７１１６号公報
【発明の概要】
【発明が解決しようとする課題】
【０００６】
ペットボトルなどのボトルから、その内部液体をコップなどの外部容器に注ぐ際に脈動が生じるのは、ボトルの注ぎ口で、液体と空気の入れ替えが安定せず、液体と空気との流路に乱れが発生することに起因している。このボトルから液体を注ぐ際の脈動の発生を防ぐためには、できるだけ少量づつ、ゆつくりと注ぐか、注ぎ込もうとするコップなどの容器をボトルに近づけるなど、煩わしい作業を行う必要があった。
【０００７】
本発明は、上記のような従来技術の問題点を解決するためになされたものであり、ボトルから液体を注ぐ際に液体は、脈打つような強弱を繰り返しながら注ぎ口から容器に移すときに、飛び跳ねや飛散する欠点を解決することを課題とする。
【課題を解決するための手段】
【０００８】
本発明に係る脈動防止具は、ボトルの注出口の内部に設けられる脈動防止具であって、断面形状が台形に形成され、ボトルからの液体が流入する流入口より、液体を流出する流出口の面積が狭いパイプと、パイプの周囲と注出口の内壁との間に配置され、外部からボトル内部に捧通された複数のスリットを有する空気細分化部とを備える。空気細分化部は、パイプの取り付け位置に応じて、スリットの長さを調整可能となるように構成される。
【０００９】
本発明の脈動防止具をボトルに装着する事により注出する液が安定するため、注出液の飛び跳ねや飛散が低減できる。また、断面形状が台形に形成され、ボトルからの液体が流入する流入口より、液体を流出する流出口の面積が狭いパイプを設けたことにより、液体がパイプの中を流入口から流出口より注出するときに、パイプの中で液体の流れが少しゆるむことにより液体を整えることができる。また、ボトル内の液体は、水やお茶ばかりでなく、ジュース等もふくまれるため、これらの液体の種類によって液体の粘度が異なる。このような場合でも、空気細分化部が、パイプの取り付け位置に応じて、スリットの長さを調整可能となるように構成されているので、液体の粘度に応じてパイプの取り付け位置を調整することで、空気細分化部のスリットの長さが調整される。この結果、スリットを通過する空気の量及び泡の大きさが調整できるので、液体の種類が異なる場合でも、常に安定して液体を注出することができる。
【００１０】
また、本発明に係る脈動防止具では、パイプの外周に設けられ、脈動防止具を注出口の内部に固定させる固定板を、さらに備えてもよい。固定板は、パイプの延伸方向に延伸している共に、弾性変形可能に形成され、脈動防止具を注出口の内部に捧入した場合に、パイプの外周面と、注出口の内周面とに挟まれ弾性変形した状態となるように構成される。
【００１１】
脈動防止具では、パイプの外周に設けられ固定板を用いて、注出口の内部の所定の位置に容易にパイプを取り付けたり、取り付け位置を調整することができる。これにより空気細分化部のスリットの長さの調整をより簡単に行うことができる。
【発明の効果】
【００１２】
本発明の脈動防止具をボトルに装着する事により注出する液が安定するため注出液の飛び跳ねや飛散を低減することができる。
【図面の簡単な説明】
【００１３】
【図１】図1の（ａ）部は、本発明の実施形態に係る脈動防止具を示す図である。図1の（ｂ）部は、センターパイプの固定板を示す図である。図１の（ｃ）部は、本発明の実施形態に係る脈動防止具をボトルに装着した状態を示す図である。
【図２】図２は、ボトルに脈動防止具を装着した状態を示す図である。図２の（ａ）部は、ボトル内に取り込まれる空気の量が少ない状態を示す図であり、図２の（ｂ）は、ボトル内に取り込まれる空気の量が多い状態を示す図である。図２（ａ）及び（ｂ）において、ボトルに装着した脈動防止具の状態が理解しやすいように、ボトルの注ぎ口の一部をカットして描いている。
【図３】図３は、脈動防止具を使用している状態を示す図である。
【発明を実施するための形態】
【００１４】
引き続いて、添付図面を参照しながら、本発明の脈動防止具に係る実施の形態を説明する。可能な場合には、同一の部分には同一の符号を付する。
【００１５】
以下、本発明の実施形態について図面を用いて説明する。
【００１６】
図１は、本実施形態に係る脈動防止具を示す図である。脈動防止具（１）は、例えばボトルの注ぎ口に取り付けて使用することができる。脈動防止具（１）は、台形パイプ（２１）、台形パイプ（２１）の一端に設けられた空気取入カット板（６）、空気取入カット板（６）に設けられたスリット状の切込部（５）、及び脈動防止具（１）をボトルの注ぎ口の所定位置に可動可能に固定するためのパイプ固定板（２）を備える。
【００１７】
脈動防止具（１）は、例えばボトルの注ぎ口に装着されて使用される。ボトルの中の液体をボトルの注ぎ口よりコップなどに注ぐとき、ボトルの中の液体は、脈動防止具（１）の台形パイプ（２１）の液体の取込口（４）より台形パイプの注出口（飲み口）（３）へと移り、台形パイプの注出口（３）から外へと液体が流れ出て、コップに注がれる。一方、ボトルから注出された液体の量の分だけ、脈動防止具（１）の空気取入口（１２）より、空気が取り入れられ、空気取込口（９）を介してボトル内の液体中に取り込まれる。空気取込口（９）は、空気取入カット板（６）に設けられた複数のスリット状の切込部（５）から構成されている。本実施形態において、切込部（５）は、１０〜３０個程度設けられている。空気が空気取入カット板（６）の切込部（５）を通過することで、空気が小さな泡となりボトル内の液体に取り込まれる。このためボトルの注ぎ口から注出される液体は脈動せずにスムーズに流れでるために、液体が飛び跳ねや飛散することなく、安定してコップに注ぐことができる。
【００１８】
台形パイプ（２１）の長さは、約１０〜３５ｍｍ程度であることができる。パイプ固定板（２）は、弾性変形可能なように構成された押圧固定部（７）を有する。台形パイプ部をボトルの深さ方向に押して移動させながらボトルの注ぎ口に装着する際に、押圧固定部（７）がボトルの内面側壁に接触し、弾性変形することで、台形パイプ（２１）をボトルの注ぎ口の任意の位置に固定することができる。押圧固定部（７）が弾性変形することで、台形パイプ（２１）はボトルの内壁から一定の応力を受けるため、ボトルの注ぎ口の所望の位置に台形パイプ（２１）を固定することができると共に、位置ズレを防止することができる。
【００１９】
図２は、脈動防止具（１）をボトルに装着した状態を示す図である。図２（ａ）及び（ｂ）において、ボトルに装着した脈動防止具の状態が理解しやすいように、ボトルの注ぎ口の一部をカットして描いている。ボトルの注ぎ口（１１）より入った空気は、ボトルの内側（内壁）と台形パイプ（２１）との隙間（空隙）（１２）を通って空気取入カット板（６）に到達する。空気取入カット板（６）に設けられた空気取込口（９）を通過した空気は、細分化されてボトル内に入る。
【００２０】
図２の（ａ）部は、ボトル内に取り込まれる空気の量が少ない状態を示す図である。図２の（ａ）部に示すように、脈動防止具（１）の台形パイプ（２１）をボトルの注出口（飲み口）（３）の方向に移動させることにより、ボトル口の低端部（８、１６）からの空気取込口（９）の長さが大きくなることで空気取込口（９）の開口の面積が拡大する。この結果、空気取込口（９）を通過して、ボトル内に取り込まれる空気の量を増加させることができる。一方、図２の（ｂ）は、ボトル内に取り込まれる空気の量が多い状態を示している。図２の（ｂ）部に示すように、脈動防止具（１）の台形パイプ（２１）をボトルの注出口（飲み口）（３）から、ボトルの底部の方向に移動させることにより、ボトル口の低端部（８、１６）からの空気取込口（９）の長さが短くなることで空気取込口（９）の開口の面積が縮小する。この結果、空気取込口（９）を通過して、ボトル内に取り込まれる空気の量を減少させることができる。
【００２１】
図３は、脈動防止具（１）をボトルに装着し、使用している状態を示す図である。ボトル（１０）より液体（１５）を注出する際に、液体と同分量の空気が空気取り入れ口（１２）より取り込まれ、ボトル（１０）の内側（内壁）と台形パイプ（２１）との隙間（空隙）を通って空気取入カット板（６）に到達した後、空気取入カット板（６）に設けられた空気取込口（９）を通過して細分化されてボトル内に小さな空気泡（１３）となってボトル（１０）内に入る。このように、脈動防止具（１）をボトルの注ぎ口に装着し使用することで、ボトルから液体（注出液）（１７）を外の容器に注ぐときに、液体の飛散もなく、スムーズに安定して注ぐことができる。
【００２２】
ボトルは、例えばペットボトルを用いることができるが、ペットボトルに限られず、本実施形態の脈動防止具は、他の脈動が生じるボトルにも使用することができる。
【符号の説明】
【００２３】
１    脈動防止具
２    パイプ固定板
３    注出口
４    液体の取込口
５    スリット状の切込部
６    空気取入カット板
７    押圧固定部
８、１６    ボトル口の低端部
９    空気取込口
１０  ボトル
１１  ボトルの注ぎ口
１２  ボトルの内側（内壁）と台形パイプとの隙間
１３  空気泡
１４  ボトル内の空気
１５  ボトル内の液体
１７  注出液
２１  台形パイプ
【図１】
2020083423.tif 000003
【図２】
2020083423.tif 000004
【図３】
2020083423.tif 000005
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
ボトルの注出口の内部に設けられる脈動防止具であって、
断面形状が台形に形成され、ボトルからの液体が流入する流入口より、液体を流出する流出口の面積が狭いパイプと、
外部からボトル内部に挿通され、前記パイプの一端に設けられた複数の空気取入カット板と当該空気取入カット板の間に設けられた複数のスリットを有する空気細分化部と、
パイプの外周に設けられ、脈動防止具を前記注出口の内部に固定させる固定板と、を備え、
前記空気取入カット板は、前記注出口の低端部に接触するように構成されており、
空気細分化部は、パイプの取り付け位置に応じて、前記注出口の低端部から前記パイプの流入口の方向のスリットの長さを調整可能である脈動防止具。
【請求項２】
前記固定板は、パイプの延伸方向に延伸している共に、弾性変形可能に形成され、
脈動防止具を注出口の内部に挿入した場合に、パイプの外周面と、注出口の内周面とに挟まれ弾性変形した状態となる請求項1に記載の脈動防止具。